【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
流体環境における圧力および温度を感知するためのデバイスであって、
内部空間を規定するカバーであって、前記カバーが前記内部空間内に環状フランジを含む、前記カバーと、
ダブルクリンチシールを形成するように前記環状フランジと連結する外側環状リング、および、前記流体環境からの流体を受けるためのチャンネルを形成するようにサーミスタチューブを囲む内壁を有する、ポートボディであって、前記チャンネルが、縦軸に実質的に平行に延在する、前記ポートボディと、
前記縦軸に実質的に平行の面に沿って前記ポートボディ内に取り付けられる少なくとも１つのダイアフラムであって、前記ダイアフラムのそれぞれが、前記チャンネルに遠位の表面に連結される少なくとも１つの圧力感知素子を有する、前記少なくとも１つのダイアフラムと、
第１の端部および第２の端部を有するエレクトロニクスモジュールアッセンブリであって、前記第１の端部が、前記縦軸に沿って前記サーミスタチューブの上方に配置され、複数の電子構成要素を有し、前記第２の端部が、前記サーミスタチューブ内に配置され、前記電子構成要素に電気的に接続される複数のサーミスタ素子を有する、前記エレクトロニクスモジュールアッセンブリと、
を含み、
前記サーミスタ素子が、それぞれ、異なる特定の範囲内の温度を感知するようにキャリブレートされ、
前記圧力感知素子が、それぞれ、異なる特定の範囲内の圧力を感知するようにキャリブレートされ、前記エレクトロニクスモジュールアッセンブリからオフセットされ、
前記ダブルクリンチシールが、前記カバーに対して前記ポートボディを密封封止する、デバイス。
【請求項２】
流体環境において圧力および温度を感知するためのデバイスであって、
内部空間を規定するカバーと、
少なくとも部分的に前記内部空間内にあるサーミスタチューブであって、前記サーミスタチューブが実質的に縦軸に沿って延在する、前記サーミスタチューブと、
少なくとも部分的に前記内部空間内にあるポートボディであって、前記ポートボディが、前記流体環境から流体を受けるために前記ポートボディと前記サーミスタチューブとの間に前記縦軸に沿って延在するチャンネルを形成し、かつ前記縦軸に関してサーミスタチューブを囲む内壁を有する、前記ポートボディと、
前記ポートボディの前記内壁内に取り付けられ、かつ前記縦軸に実質的に平行な面を形成する第１のダイアフラムであって、当該第１のダイアフラムが前記チャンネル内の前記流体に晒される第１の表面、および、前記チャンネルから封止された第２の表面を有する、前記第１のダイアフラムと、
前記第１のダイアフラムの前記第２の表面に結合された第１の圧力感知素子と、
前記ポートボディ内に取り付けられかつ前記縦軸に実質的に平行に延在する第２のダイアフラムであって、当該第２のダイアフラムが前記チャンネル内の流体に露出された第１の表面および前記チャンネルからシールされた第２の表面を含む、前記第２のダイアフラムと、
前記第２のダイアフラムの前記第２の表面に結合された第２の圧力感知素子とを有し、
前記サーミスタチューブは、前記チャンネル内に位置された少なくとも１つのサーミスタを含む、デバイス。
【請求項３】
請求項２に記載のデバイスであって、前記圧力感知素子が、それぞれ、異なる特定の範囲内の圧力を感知するようにキャリブレートされる、デバイス。
【請求項４】
請求項２に記載のデバイスであって、前記サーミスタチューブが、前記ポートボディの上部に接触するように、前記チャンネルを横切って延在する負荷ベアリングフランジを含む、デバイス。
【請求項５】
請求項２に記載のデバイスであって、さらに、
実質的に前記縦軸に沿って延在するエレクトロニクスモジュールアッセンブリであって、前記エレクトロニクスモジュールアッセンブリが、前記サーミスタチューブ内に配置され、且つ、サーミスタ素子に連結される、下端を有する、デバイス。
【請求項６】
請求項５に記載のデバイスであって、前記エレクトロニクスモジュールアッセンブリが、前記サーミスタチューブ内で前記エレクトロニクスモジュールアッセンブリの前記下端に連結される少なくとも１つの付加的下部サーミスタ素子を含む、デバイス。
【請求項７】
請求項６に記載のデバイスであって、各付加的下部サーミスタ素子が、異なる特定の範囲内の温度を感知するようにキャリブレートされる、デバイス。
【請求項８】
流体環境において圧力および温度を感知するためのデバイスであって、
内部空間を規定するカバーと、
少なくとも部分的に前記内部空間内にあるサーミスタチューブであって、前記サーミスタチューブが実質的に縦軸に沿って延在する、前記サーミスタチューブと、
少なくとも部分的に前記内部空間内にあるポートボディであって、前記ポートボディが、前記流体環境から流体を受けるために前記ポートボディと前記サーミスタチューブとの間に前記縦軸に沿って延在するチャンネルを形成し、かつ前記縦軸に関してサーミスタチューブを囲む内壁を有する、前記ポートボディと、
前記ポートボディの前記内壁内に取り付けられ、かつ前記縦軸に実質的に平行な面を形成する第１のダイアフラムであって、当該第１のダイアフラムが前記チャンネル内の前記流体に晒される第１の表面、および、前記チャンネルから封止された第２の表面を有する、前記第１のダイアフラムと、
前記縦軸に実質的に沿って延在する電子モジュールアッセンブリであって、当該電子モジュールアッセンブリは、前記サーミスタチューブ内に位置された下端部を有し、かつ少なくとも１つのサーミスタ素子に結合される、前記電子モジュールアッセンブリとを有し、
前記サーミスタチューブは、前記チャンネル内に位置された少なくとも１つのサーミスタ素子を含み、
前記電子モジュールアッセンブリは、前記サーミスタチューブ内の前記電子モジュールアッセンブリの下端部に結合された少なくとも１つの別の下方のサーミスタ素子を含む、デバイス。
【請求項９】
流体環境における圧力および温度を感知するためのデバイスであって、
内部空間を規定するカバーであって、前記カバーが前記内部空間内に環状フランジを含む、前記カバーと、
前記内部空間内に位置されかつ外側の環状リングを有するポートボディであって、当該外側の環状リングがメカニカルシールを形成するように前記環状フランジに結合し、前記メカニカルシールは前記ポートボディを前記カバーに封止するダブルクリンチシールである、前記ポートボディと、
温度を測定するための前記内部空間内のサーミスタ素子と、
前記ポートボディに結合された圧力感知素子と、
を有するデバイス。
【請求項１０】
請求項９に記載のデバイスはさらに、
前記内部空間内に位置され、かつ開いた頂部と閉じた底部を有するサーミスタチューブと、
前記流体環境から流体を受け取るため、前記サーミスタチューブと前記カバーとの間に形成されたチャンネルと、を有するデバイス。
【請求項１１】
請求項１０に記載のデバイスはさらに、
前記サーミスタチューブ内に位置された下端部および複数の下方の電子部品と、前記サーミスタチューブの前記開いた頂部を介して延在する中心部と、前記サーミスタチューブの上方に位置されかつ複数の上方の電子部品を含む上端部とを含む電子モジュールアッセンブリを含む、デバイス。
【請求項１２】
請求項１１に記載のデバイスであって、前記電子モジュールアッセンブリの下端部は複数のサーミスタ素子を含む、デバイス。
【請求項１３】
請求項１２に記載のデバイスであって、下方の電子部品が信号調整電子部品を含む、デバイス。
【請求項１４】
請求項１０に記載のデバイスはさらに、
前記ポートボディ内に取り付けられ、かつ前記チャンネルに実質的に平行な平面を形成するダイアフラムであって、当該ダイアフラムは、前記流体からの圧力に応答して撓むように構成される、前記ダイアフラムと、
前記ダイアフラムの表面に結合され、前記ダイアフラムの撓みに基づき流体環境の圧力を感知する圧力感知素子とを含む、デバイス。
【請求項１５】
請求項２に記載のデバイスであって、前記サーミスタチューブが前記チャンネルの中央に位置される、デバイス。
【請求項１６】
請求項２に記載のデバイスであって、前記サーミスタチューブは、前記ポートボディの内側の径よりも小さい外側の径を有し、前記チャンネルが前記サーミスタチューブの外側の径と前記ポートボディの内側の径との間に形成される、デバイス。
【請求項１７】
請求項８に記載のデバイスであって、前記電子モジュールアッセンブリは、前記縦軸に沿って前記サーミスタチューブの上方に位置された上端部を含み、当該上端部は、複数の電子部品を有する、デバイス。
【請求項１８】
請求項８に記載のデバイスであって、別の下方のサーミスタ素子は、異なる特定の範囲内の温度を感知するようにキャリブレートされる、デバイス。
【請求項１９】
流体環境において圧力および温度を感知するためのデバイスであって、
内部空間を規定するカバーと、
少なくとも部分的に前記内部空間内にあるサーミスタチューブであって、前記サーミスタチューブが実質的に縦軸に沿って延在する、前記サーミスタチューブと、
少なくとも部分的に前記内部空間内にあるポートボディであって、前記ポートボディが、前記流体環境から流体を受けるために前記ポートボディと前記サーミスタチューブとの間に前記縦軸に沿って延在するチャンネルを形成し、かつ前記縦軸に関してサーミスタチューブを囲む内壁を有する、前記ポートボディと、
前記ポートボディの前記内壁内に取り付けられ、かつ前記縦軸に実質的に平行な面を形成する第１のダイアフラムであって、当該第１のダイアフラムが前記チャンネル内の流体に晒される第１の表面、および前記チャンネルから封止された第２の表面を有する、前記第１のダイアフラムとを有し、
前記サーミスタチューブは、前記チャンネル内に位置された少なくとも１つのサーミスタを含み、前記サーミスタチューブは、前記ポートボディの上部と接触するように前記チャンネルを横切る方向に延在する負荷を保持するフランジを含む、デバイス。